(57)【要約】本開示のある特定の態様は、ミリメートル波（ｍｍＷ）システムのような、ある特定のシステムにおける協調送信のための技法を提供する。ユーザ機器（ＵＥ）によるワイヤレス通信の方法が、一般に、複数の基地局（ＢＳ）の各々による送信のための１つまたは複数の選択されたビームのインジケーションを複数のＢＳに提供することを含む。方法は、１つまたは複数のコフェーズ因子を決定することを含む。方法は、１つまたは複数の選択されたビームおよび１つまたは複数のコフェーズ因子に基づいて、複数のＢＳからの協調送信を受信することを含む。ＢＳによる方法が、一般に、１つまたは複数の選択されたビームのインジケーションをＵＥから受信することと、１つまたは複数のコフェーズ補正因子を決定することと、１つまたは複数の選択されたビームおよび１つまたは複数のコフェーズ補正因子に少なくとも部分的に基づいて、ＵＥに協調送信を送ることとを含む。【選択図】図８
2021513787.tif 000002
【特許請求の範囲】
【請求項１】
ユーザ機器（ＵＥ）によるワイヤレス通信のための方法であって、
複数の基地局（ＢＳ）の各々による送信のための１つまたは複数の選択されたビームのインジケーションを前記複数のＢＳに提供することと、
１つまたは複数のコフェーズ因子を決定することと、
前記１つまたは複数の選択されたビームおよび前記１つまたは複数のコフェーズ因子に基づいて、前記複数のＢＳからの協調ビームフォーミングされた送信を受信することと
を備える方法。
【請求項２】
前記協調送信は、前記複数のＢＳから同時に送信される同じ情報ビットを備える、請求項１に記載の方法。
【請求項３】
前記複数のＢＳの各々からのビームスイープされた同期信号を受信することと、
そのＢＳによるシングルユーザ送信のための前記１つまたは複数のビームを選択することと、ここにおいて、前記１つまたは複数の選択されたビームは、しきい値を満たすビームを備える、
をさらに備える、請求項１に記載の方法。
【請求項４】
各ＢＳからの送信を受信するためのビームを選択することと、
ビームペアに関連付けられた信号強度を決定することと、各ビームペアは、前記ＢＳによるシングルユーザ送信のための前記１つまたは複数の選択されたビームと、前記ＢＳからの送信を受信するための対応する選択されたビームとを含む、
をさらに備える、請求項１に記載の方法。
【請求項５】
前記１つまたは複数のコフェーズ因子を決定することは、前記協調ビームフォーミングされた送信を送信するための第１のセットのコフェーズ因子を決定するために、前記ビームペアの各々についてのシンボル推定値を相関させることを備える、請求項４に記載の方法。
【請求項６】
前記複数のＢＳに前記第１のセットのコフェーズ因子のインジケーションを提供することをさらに備える、請求項５に記載の方法。
【請求項７】
前記協調ビームフォーミングされた送信を受信するための第２のセットの１つまたは複数のコフェーズ因子を決定するために、前記ビームペアを使用して、前記複数のＢＳとのＵＥ固有ビームトレーニングを行うことをさらに備える、請求項４に記載の方法。
【請求項８】
前記選択されたビームおよび前記第２のセットの１つまたは複数のコフェーズ因子に基づいて、前記協調ビームフォーミングされた送信の受信のための受信ビームを決定することをさらに備える、請求項７に記載の方法。
【請求項９】
前記協調ビームフォーミングされた送信は、前記複数のＢＳから時間および周波数リソースの連続したセットにわたって受信され、
前記方法は、時間および周波数リソースの前記連続したセットにおける前記協調送信を組み合わせるために、前記協調ビームフォーミングされた送信をデジタルにまたはオフライン方式で処理することをさらに備える、
請求項１に記載の方法。
【請求項１０】
基地局（ＢＳ）によるワイヤレス通信のための方法であって、
前記ＢＳによる送信のための１つまたは複数の選択されたビームのインジケーションをユーザ機器（ＵＥ）から受信することと、
１つまたは複数のコフェーズ因子を決定することと、
前記１つまたは複数の選択されたビームおよび前記１つまたは複数のコフェーズ因子に部分的に基づいて、協調ビームフォーミングされた送信を前記ＵＥに送ることと
を備える方法。
【請求項１１】
前記協調ビームフォーミングされた送信を協調させるために、少なくとも１つの他のＢＳとバックホールを介して通信することをさらに備える、請求項１０に記載の方法。
【請求項１２】
前記協調送信は、複数のＢＳから同時に送信される同じ情報ビットを備える、請求項１０に記載の方法。
【請求項１３】
前記ＵＥとの第１のビームトレーニングプロシージャを行うことをさらに備え、ここにおいて、前記１つまたは複数の選択されたビームの前記ＵＥからの前記インジケーションは、前記第１のビームトレーニングプロシージャに基づき、ここにおいて、前記第１のビームトレーニングプロシージャは、ビームスイープされた同期信号を前記ＵＥに送信することを含む、請求項１０に記載の方法。
【請求項１４】
前記ＵＥから前記１つまたは複数のコフェーズ因子のインジケーションを受信することをさらに備え、ここにおいて、前記１つまたは複数のコフェーズ因子の前記決定は、前記ＵＥからの前記インジケーションに基づく、請求項１０に記載の方法。
【請求項１５】
前記１つまたは複数の選択されたビームの各々に関連付けられた信号強度のインジケーションを前記ＵＥから受信することをさらに備え、ここにおいて、前記信号強度の前記インジケーションは、前記１つまたは複数の選択されたビームの各々に関連付けられた、基準信号受信電力（ＲＳＲＰ）、基準信号受信品質（ＲＳＲＱ）、信号対雑音比（ＳＮＲ）、または信号対干渉および雑音比（ＳＩＮＲ）のうちの少なくとも１つを備える、請求項１０に記載の方法。
【請求項１６】
前記ＵＥとのＵＥ固有ビームトレーニングプロシージャを協調させるために、少なくとも１つの他のＢＳとバックホールを介して通信することと、
前記１つまたは複数の選択されたビームを使用して、前記ＵＥとの前記ＵＥ固有ビームトレーニングプロシージャを行うことと
をさらに備える、請求項１０に記載の方法。
【請求項１７】
前記協調ビームフォーミングされた送信は、複数のＢＳから時間および周波数リソースの連続したセットにわたって送信される、請求項１０に記載の方法。
【請求項１８】
ワイヤレス通信のための装置であって、
複数の基地局（ＢＳ）の各々による送信のための１つまたは複数の選択されたビームのインジケーションを前記複数のＢＳに提供するように構成された送信機と、
メモリに結合されかつ１つまたは複数のコフェーズ因子を決定するように構成された少なくとも１つのプロセッサと、
前記１つまたは複数の選択されたビームおよび前記１つまたは複数のコフェーズ因子に基づいて、前記複数のＢＳからの協調ビームフォーミングされた送信を受信するように構成された受信機と
を備える装置。
【請求項１９】
前記協調送信は、前記複数のＢＳから同時に送信される同じ情報ビットを備える、請求項１８に記載の装置。
【請求項２０】
前記受信機は、前記複数のＢＳの各々からのビームスイープされた同期信号を受信するようにさらに構成され、
前記少なくとも１つのプロセッサは、そのＢＳによるシングルユーザ送信のための前記１つまたは複数のビームを選択するようにさらに構成され、ここにおいて、前記１つまたは複数の選択されたビームは、しきい値を満たすビームを備える、
請求項１８に記載の装置。
【請求項２１】
前記少なくとも１つのプロセッサは、
各ＢＳからの送信を受信するためのビームを選択することと、
ビームペアに関連付けられた信号強度を決定することと、各ビームペアは、前記ＢＳによるシングルユーザ送信のための前記１つまたは複数の選択されたビームと、前記ＢＳからの送信を受信するための対応する選択されたビームとを含む、
を行うようにさらに構成される、請求項１８に記載の装置。
【請求項２２】
前記少なくとも１つのプロセッサは、前記協調ビームフォーミングされた送信を送信するための第１のセットのコフェーズ因子を決定するために、前記ビームペアの各々についてのシンボル推定値を相関させることによって、前記１つまたは複数のコフェーズ因子を決定するように構成される、請求項２１に記載の装置。
【請求項２３】
前記送信機は、前記複数のＢＳに前記第１のセットのコフェーズ因子のインジケーションを提供するようにさらに構成される、請求項２２に記載の装置。
【請求項２４】
前記少なくとも１つのプロセッサは、前記協調ビームフォーミングされた送信を受信するための第２のセットの１つまたは複数のコフェーズ因子を決定するために、前記ビームペアを使用して、前記複数のＢＳとのＵＥ固有ビームトレーニングを行うようにさらに構成される、請求項２１に記載の装置。
【請求項２５】
前記選択されたビームおよび前記第２のセットの１つまたは複数のコフェーズ因子に基づいて、前記協調ビームフォーミングされた送信の受信のための受信ビームを決定することをさらに備える、請求項２４に記載の装置。
【請求項２６】
前記協調ビームフォーミングされた送信は、前記複数のＢＳから時間および周波数リソースの連続したセットにわたって受信され、
前記少なくとも１つのプロセッサは、時間および周波数リソースの前記連続したセットにおける前記協調送信を組み合わせるために、前記協調ビームフォーミングされた送信をデジタルにまたはオフライン方式で処理するようにさらに構成される、
請求項１８に記載の装置。
【請求項２７】
ワイヤレス通信のための装置であって、
前記装置による送信のための１つまたは複数の選択されたビームのインジケーションをユーザ機器（ＵＥ）から受信するように構成された受信機と、
メモリに結合されかつ１つまたは複数のコフェーズ因子を決定するように構成された少なくとも１つのプロセッサと、
前記１つまたは複数の選択されたビームおよび前記１つまたは複数のコフェーズ因子に部分的に基づいて、協調ビームフォーミングされた送信を前記ＵＥに送るように構成された送信機と
を備える装置。
【請求項２８】
前記少なくとも１つのプロセッサは、前記ＵＥとの第１のビームトレーニングプロシージャを行うようにさらに構成され、ここにおいて、前記１つまたは複数の選択されたビームの前記ＵＥからの前記インジケーションは、前記第１のビームトレーニングプロシージャに基づき、ここにおいて、前記第１のビームトレーニングプロシージャは、ビームスイープされた同期信号を前記ＵＥに送信することを含む、請求項２７に記載の装置。
【請求項２９】
前記受信機は、前記ＵＥから前記１つまたは複数のコフェーズ因子のインジケーションを受信するようにさらに構成され、前記１つまたは複数のコフェーズ因子の前記決定は、前記ＵＥからの前記インジケーションに基づく、請求項２７に記載の装置。
【請求項３０】
前記少なくとも１つのプロセッサは、
前記ＵＥとのＵＥ固有ビームトレーニングプロシージャを協調させるために、少なくとも１つの他のＢＳとバックホールを介して通信することと、
前記１つまたは複数の選択されたビームを使用して、前記ＵＥとの前記ＵＥ固有ビームトレーニングプロシージャを行うことと
を行うようにさらに構成される、請求項２７に記載の装置。
【発明の詳細な説明】
【関連出願の相互参照および優先権主張】
【０００１】
[0001]  本願は、２０１８年２月１３日に出願された米国仮特許出願第６２／６３０，０４２号の優先権および利益を主張する、２０１９年１月７日に出願された米国特許出願第１６／２４１，５５９号の優先権を主張するもので、その全体が以下に完全に明記されるかのように参照により全ての適用可能な目的でここに明示的に組み込まれる。
【技術分野】
【０００２】
[0002]  本開示の態様は、ワイヤレス通信に関し、より詳細には、ミリメートル波（ｍｍＷ）システムにおけるような、ある特定のシステムにおける協調送信のための技法に関する。
【背景技術】
【０００３】
[0003]  ワイヤレス通信システムは、電話通信、ビデオ、データ、メッセージング、ブロードキャストなどのような様々な電気通信サービスを提供するために広く展開されている。これらのワイヤレス通信システムは、利用可能なシステムリソース（例えば、帯域幅、送信電力など）を共有することによって複数のユーザとの通信をサポートすることが可能な多元接続技術を採用し得る。このような多元接続システムの例は、ほんの数例を挙げると、第３世代パートナーシッププロジェクト（３ＧＰＰ（登録商標））ロングタームエボリューション（ＬＴＥ（登録商標））システム、ＬＴＥアドバンスト（ＬＴＥ−Ａ）システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムが、いくつかの基地局（ＢＳ：base stations）を含み得、これらは、各々が、別名ユーザ機器（ＵＥ：user equipments）として知られている複数の通信デバイスのための通信を同時にサポートすることが可能である。ＬＴＥまたはＬＴＥ−Ａネットワークでは、１つまたは複数の基地局のセットが、ｅノードＢ（ｅＮＢ）を定義し得る。他の例では（例えば、５Ｇ−ＮＲでは）、ワイヤレス多元接続通信システムが、いくつかの中央ユニット（ＣＵ：central units）（例えば、中央ノード（ＣＮ：central nodes）、アクセスノードコントローラ（ＡＮＣ：access node controllers）など）と通信状態にある、いくつかの分散ユニット（ＤＵ：distributed units）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）など）を含み得、ここで、ＣＵと通信状態にある１つまたは複数のＤＵのセットが、ＢＳ、次世代ノードＢ（ｇＮＢまたはｇノードＢ）、送受信ポイント（ＴＲＰ）などと呼ばれ得るアクセスノードを定義し得る。ＢＳまたはＤＵは、（例えば、ＢＳまたはＤＵからＵＥへの送信のための）ダウンリンクチャネルおよび（例えば、ＵＥからＢＳまたはＤＵへの送信のための）アップリンクチャネル上で、ＵＥのセットと通信し得る。
【０００５】
[0005]  これらの多元接続技術は、異なるワイヤレスデバイスが都市、国家、地域、さらには地球レベルで通信することを可能にする共通プロトコルを提供するために、様々な電気通信規格において採用されてきた。５Ｇ−ＮＲは、新興の電気通信規格の一例である。５Ｇ−ＮＲは、３ＧＰＰによって公表されたＬＴＥモバイル規格への拡張セットである。５Ｇ−ＮＲは、スペクトル効率を改善すること、コストを下げること、サービスを改善すること、新しいスペクトルを利用すること、およびダウンリンク（ＤＬ）上とアップリンク（ＵＬ）上でサイクリックプレフィックス（ＣＰ：cyclic prefix）を伴うＯＦＤＭＡを使用して他のオープン規格とより良好に統合することによって、モバイルブロードバンドインターネットアクセスをより良くサポートするように設計されている。これらの目的のために、ＮＲは、ビームフォーミング、多入力多出力（ＭＩＭＯ：multiple-input multiple-output）アンテナ技術、およびキャリアアグリゲーションをサポートする。
【０００６】
[0006]  しかしながら、モバイルブロードバンドアクセスに対する需要が増大し続けるにつれて、ＮＲおよびＬＴＥ技術におけるさらなる改善が必要とされる。好ましくは、これらの改善は、他の多重アクセス（multi-access）技術、およびこれらの技術を採用する電気通信規格に適用可能であるべきである。
【発明の概要】
【０００７】
[0007]  本開示のシステム、方法、およびデバイスは、いくつかの態様をそれぞれ有し、それらのうちの何れも、その望ましい属性を単独で担うものではない。以下に続く特許請求の範囲によって示される本開示の範囲を限定することなく、ここでいくつかの特徴が簡潔に論じられる。この議論を考慮した後であって、特に「詳細な説明」と題するセクションを読んだ後に、当業者であれば、本開示の特徴が、ワイヤレスネットワークにおけるアクセスポイントと局との間の改善された通信を含む利点をどのようにもたらすかが理解されよう。
【０００８】
[0008]  本開示のある特定の態様は、一般に、ミリメートル波（ｍｍＷ）システムにおけるような、ある特定のシステムにおける協調送信のための方法および装置に関する。
【０００９】
[0009]  本開示のある特定の態様は、例えば、ユーザ機器（ＵＥ：user equipment）によって行われ得るワイヤレス通信のための方法を提供する。方法は、一般に、複数の基地局（ＢＳ：base stations）の各々による送信のための１つまたは複数の選択されたビームのインジケーションを複数のＢＳに提供することを含む。方法は、１つまたは複数のコフェーズ因子（co-phase factors）を決定することを含む。方法は、１つまたは複数の選択されたビームおよびコフェーズ因子に基づいて、複数のＢＳからの協調ビームフォーミングされた送信を受信することを含む。
【００１０】
[0010]  本開示のある特定の態様は、例えば、ＢＳによって行われ得るワイヤレス通信のための方法を提供する。方法は、一般に、ＢＳによる送信のための１つまたは複数の被選択ビーム（selectee beams）のインジケーションをＵＥから受信することを含む。方法は、１つまたは複数のコフェーズ因子を決定することを含む。方法は、１つまたは複数の選択されたビームおよび１つまたは複数のコフェーズ因子に少なくとも部分的に基づいて、協調ビームフォーミングされた送信をＵＥに送ることを含む。
【００１１】
[0011]  本開示のある特定の態様は、ワイヤレス通信のための装置を提供する。装置は、一般に、複数のＢＳの各々による送信のための１つまたは複数の選択されたビームのインジケーションを複数のＢＳに提供するための手段を含む。装置は、１つまたは複数のコフェーズ因子を決定するための手段を含む。装置は、１つまたは複数の選択されたビームおよびコフェーズ因子に基づいて、複数のＢＳからの協調ビームフォーミングされた送信を受信するための手段を含む。
【００１２】
[0012]  本開示のある特定の態様は、ワイヤレス通信のための装置を提供する。装置は、一般に、装置による送信のための１つまたは複数の被選択ビームのインジケーションをＵＥから受信するための手段を含む。装置は、１つまたは複数のコフェーズ因子を決定するための手段を含む。装置は、１つまたは複数の選択されたビームおよび１つまたは複数のコフェーズ因子に少なくとも部分的に基づいて、協調ビームフォーミングされた送信をＵＥに送るための手段を含む。
【００１３】
[0013]  本開示のある特定の態様は、ワイヤレス通信のための装置を提供する。装置は、一般に、複数のＢＳの各々による送信のための１つまたは複数の選択されたビームのインジケーションを複数のＢＳに提供するように構成された送信機を含む。装置は、一般に、メモリに結合されかつ１つまたは複数のコフェーズ因子を決定するように構成された少なくとも１つのプロセッサを含む。装置は、１つまたは複数の選択されたビームおよびコフェーズ因子に基づいて、複数のＢＳからの協調ビームフォーミングされた送信を受信するように構成された受信機を含む。
【００１４】
[0014]  本開示のある特定の態様は、ワイヤレス通信のための装置を提供する。装置は、一般に、装置による送信のための１つまたは複数の被選択ビームのインジケーションをＵＥから受信するように構成された受信機を含む。少なくとも１つのプロセッサは、メモリに結合されかつ１つまたは複数のコフェーズ因子を決定するように構成される。装置は、１つまたは複数の選択されたビームおよび１つまたは複数のコフェーズ因子に少なくとも部分的に基づいて、協調ビームフォーミングされた送信をＵＥに送るように構成された送信機を含む。
【００１５】
[0015]  本開示のある特定の態様は、ワイヤレス通信のためのコンピュータ実行可能コードを記憶したコンピュータ可読媒体を提供する。コンピュータ可読媒体は、一般に、複数のＢＳの各々による送信のための１つまたは複数の選択されたビームのインジケーションを複数のＢＳに提供するためのコードを含む。コンピュータ可読媒体は、１つまたは複数のコフェーズ因子を決定するためのコードを含む。コンピュータ可読媒体は、１つまたは複数の選択されたビームおよびコフェーズ因子に基づいて、複数のＢＳからの協調ビームフォーミングされた送信を受信するためのコードを含む。
【００１６】
[0016]  本開示のある特定の態様は、ワイヤレス通信のためのコンピュータ実行可能コードを記憶したコンピュータ可読媒体を提供する。コンピュータ可読媒体は、一般に、ＢＳによる送信のための１つまたは複数の被選択ビームのインジケーションをＵＥから受信するためのコードを含む。コンピュータ可読媒体は、１つまたは複数のコフェーズ因子を決定するためのコードを含む。コンピュータ可読媒体は、１つまたは複数の選択されたビームおよび１つまたは複数のコフェーズ因子に少なくとも部分的に基づいて、協調ビームフォーミングされた送信をＵＥに送るためのコードを含む。
【００１７】
[0017]  前述および関連する目的の達成のために、１つまたは複数の態様が、以下で十分に説明されかつ特許請求の範囲において具体的に示される特徴を備える。以下の説明および添付の図面は、１つまたは複数の態様のある特定の例示的な特徴を詳細に明記する。しかしながら、これらの特徴は、様々な態様の原理が採用され得る様々な方法のうちのごく一部を示すものである。
【図面の簡単な説明】
【００１８】
[0018]  本開示の上記特徴を詳細に理解できるように、簡潔に概要を上述したもののより詳細な説明が、図面にいくつか例示される態様を参照することで得られ得る。添付の図面は、しかしながら本開示のある特定の典型的な態様のみを例示するものであって、この説明が他の同様に有効な態様にも当てはまり得ることからその範囲を限定するものと見なされるべきでないことに留意されたい。
【図１】本開示のある特定の態様による、例となる電気通信システムを概念的に例示するブロック図である。
【図２】本開示のある特定の態様による、分散型無線アクセスネットワーク（ＲＡＮ）の例となる論理アーキテクチャを例示するブロック図である。
【図３】本開示のある特定の態様による、分散型ＲＡＮの例となる物理アーキテクチャを例示する図である。
【図４】本開示のある特定の態様による、例となる基地局（ＢＳ）およびユーザ機器（ＵＥ）の設計を概念的に例示するブロック図である。
【図５】本開示のある特定の態様による、通信プロトコルスタックを実施するための例を示す図である。
【図６】本開示のある特定の態様による、新無線（ＮＲ：new radio）システムのためのフレームフォーマットの例を例示する。
【図７】本開示のある特定の態様による、ＵＥへの２つのＢＳによる協調送信の例を示す図である。
【図８】本開示のある特定の態様による、協調送信のためのＵＥによる例となる動作を例示するフロー図である。
【図９】本開示のある特定の態様による、協調送信のためのＢＳによる例となる動作を例示するフロー図である。
【図１０】本開示のある特定の態様による、協調ビームの例となるパフォーマンスを示すグラフである。
【図１１】本開示のある特定の態様による、協調ビームの例となるパフォーマンスを示す別のグラフである。
【図１２】本開示のある特定の態様による、協調送信のためのシグナリングを例示する呼のフロー図である。
【図１３】本開示の態様に従って本明細書で開示される技法のための動作を行うように構成された様々な構成要素を含み得る通信デバイスを例示する。
【図１４】本開示の態様に従って本明細書で開示される技法のための動作を行うように構成された様々な構成要素を含み得る通信デバイスを例示する。
【００１９】
[0033]  理解を容易にするために、可能な場合、図面に共通する同一の要素を指すために、同一の参照番号が使用されている。一態様において開示される要素は、具体的な記載がなくとも、他の態様に対して有益に利用され得ることが企図される。
【詳細な説明】
【００２０】
[0034]  本開示の態様は、５Ｇ−ＮＲのための装置、方法、処理システム、およびコンピュータ可読媒体を提供する。５Ｇ−ＮＲは、広帯域幅（例えば、８０ＭＨｚ以上）を対象とした拡張モバイルブロードバンド（ｅＭＢＢ：Enhanced mobile broadband）、高いキャリア周波数（例えば、２５ＧＨｚ以上）を対象としたミリメートル波（ｍｍＷ）、後方互換性のないマシンタイプ通信ＭＴＣ技法を対象としたマッシブＭＴＣ（ｍＭＴＣ：massive machine type communications）、および／または超高信頼性低レイテンシ通信（ＵＲＬＬＣ：ultra-reliable low-latency communications）を対象としたミッションクリティカルのような、様々なワイヤレス通信サービスをサポートし得る。これらのサービスは、レイテンシおよび信頼性の要件を含み得る。これらのサービスはまた、それぞれのサービス品質（ＱｏＳ）要件を満たすために、異なる送信時間間隔（ＴＴＩ：transmission time intervals）を有し得る。加えて、これらのサービスは、同じサブフレームにおいて共存し得る。
【００２１】
[0035]  典型的に、ｍｍＷ波システムでは、シグナリングがビームフォーミングされ、送信が基地局（ＢＳ）（例えば、次世代ノードＢ（ｇＮＢ））のような単一のデバイスからユーザ機器（ＵＥ）のような単一のデバイスに対するものである。しかしながら、いくつかのケースでは、例えば、複数のＢＳ（例えば、ｇＮＢまたはＴＲＰ）から単一のＵＥに対して送信が協調され得る。
【００２２】
[0036]  従って、本開示の態様は、ｍｍＷシステムのような、ある特定のシステムにおける協調ビームフォーミングされた送信のための技法および装置を提供する。例えば、ＵＥは、１つまたは複数の選択されたビームおよびコフェーズ因子を決定し、協調ビームフォーミングにおいてＢＳを支援するために、選択されたビームおよびコフェーズ因子をＢＳに提供し得る。ＵＥはまた、協調ビームフォーミングされた送信を受信するためのＵＥにおけるビームを決定するために、コフェーズ因子、選択されたビーム、並びに信号強度測定値を使用し得る。
【００２３】
[0037]  以下の説明は、例を提供するもので、特許請求の範囲に明記される範囲、適用性、または例を限定するものでない。変更が、本開示の範囲から逸脱することなく、論じられる要素の機能および配置（arrangement）においてなされ得る。様々な例は、適宜、様々なプロシージャまたは構成要素を省略、代用、または追加し得る。例えば、説明される方法は、説明されるものとは異なる順序で行われ得、また、様々なステップが、追加、省略、または組み合わされ得る。また、いくつかの例に関して説明される特徴は、いくつかの他の例において組み合わされ得る。例えば、本明細書に明記される任意の数の態様を使用して、装置が実施され得、または方法が実施され得る。加えて、本開示の範囲は、本明細書に明記される本開示の様々な態様に加えて、またはそれ以外の、他の構造、機能、または構造と機能を使用して実施されるそのような装置または方法をカバーするように意図される。本明細書で開示される本開示の任意の態様が、請求項の１つまたは複数の要素によって具現化され得ることを理解されたい。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。
【００２４】
[0038]  本明細書で説明される技法は、ＬＴＥ、ＣＤＭＡ、ＴＤＭＡ、ＦＤＭＡ、ＯＦＤＭＡ、ＳＣ−ＦＤＭＡ、および他のネットワークのような、様々なワイヤレス通信技術のために使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００などのような無線技術を実施し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実施し得る。ＯＦＤＭＡネットワークは、５Ｇ−ＮＲ、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどのような無線技術を実施し得る。ＵＴＲＡおよびＥ−ＵＴＲＡは、ユニバーサルモバイルテレコミュニケーションズシステム（ＵＭＴＳ）の一部である。
【００２５】
[0039]  新無線（ＮＲ）は、第３世代パートナーシッププロジェクト（３ＧＰＰ）とともに開発中の新興のワイヤレス通信技術である。３ＧＰＰロングタームエボリューション（ＬＴＥ）およびＬＴＥ−アドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明される技法は、上述されたワイヤレスネットワークおよび無線技術のみならず、他のワイヤレスネットワークおよび無線技術のためにも使用され得る。明確さのために、態様が、３Ｇおよび／または４Ｇワイヤレス技術に一般に関連付けられた専門用語を使用して本明細書で説明され得る一方で、本開示の態様は、ＮＲ技術を含む例えば、５Ｇ以降のような、他の世代ベースの通信システムに適用されることができる。
【００２６】
＜例となるワイヤレス通信システム＞  
[0040]  図１は、本開示の態様が行われ得る例となるワイヤレス通信ネットワーク１００を例示する。例えば、ワイヤレス通信ネットワーク１００は、ミリメートル波（ｍｍＷ）通信をサポートする新無線（ＮＲ）または５Ｇネットワークであり得る。ＵＥ１２０は、ＢＳ１１０の各々についての送信のためのビームを決定するために、複数の異なるＢＳ１１０とのビームトレーニングに参加し得る。ＵＥ１２０はまた、コフェーズ因子を決定し、ＢＳ１１０にコフェーズ因子を提供し得る。ＵＥ１２０はまた、協調送信を受信するためのＵＥにおけるビームを決定するために、コフェーズ因子、選択されたビーム、並びに信号強度測定値を使用し得る。ＢＳ１１０は、ＵＥ１２０から受信されたコフェーズ因子および選択されたビームに基づいてビームフォーミングパラメータを選択し、ＵＥ１２０に協調送信を送り得る。
【００２７】
[0041]  図１に例示されるように、ワイヤレス通信ネットワーク１００は、いくつかの基地局（ＢＳ）１１０と他のネットワークエンティティとを含み得る。ＢＳは、ユーザ機器（ＵＥ）と通信する局であり得る。各ＢＳ１１０は、特定の地理的エリアに通信カバレッジを提供し得る。３ＧＰＰにおいて、「セル」という用語は、この用語が使用される文脈に応じて、ノードＢ（ＮＢ）のカバレッジエリアおよび／またはこのカバレッジエリアにサービス提供しているＮＢサブシステムを指し得る。ＮＲシステムにおいて、「セル」という用語と、次世代ノードＢ（ｇＮＢまたはｇノードＢ）、アクセスポイント（ＡＰ）、または送受信ポイント（ＴＲＰ）とは、同義であり得る。いくつかの例では、セルが必ずしも固定でなく、セルの地理的エリアがモバイルＢＳのロケーションに従って移動し得る。いくつかの例において、基地局は、任意の好適なトランスポートネットワークを使用して、直接的な物理接続、ワイヤレス接続、仮想ネットワーク、または同様のものような、様々なタイプのバックホールインターフェースを通じて、ワイヤレス通信ネットワーク１００において互いに、および／または１つまたは複数の他の基地局またはネットワークノード（図示せず）に、相互接続され得る。
【００２８】
[0042]  一般に、任意の数のワイヤレスネットワークが、所与の地理的エリアにおいて展開され得る。各ワイヤレスネットワークは、特定の無線アクセス技術（ＲＡＴ）をサポートし得、１つまたは複数の周波数上で動作し得る。ＲＡＴは、無線技術、エアインターフェースなどとも呼ばれ得る。周波数は、キャリア、サブキャリア、周波数チャネル、トーン、サブバンドなどとも呼ばれ得る。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ  ＲＡＴネットワークが展開され得る。
【００２９】
[0043]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ：Closed Subscriber Group）中のＵＥ、自宅内のユーザのためのＵＥなど）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例において、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳは、１つまたは複数（例えば、３つ）のセルをサポートし得る。
【００３０】
[0044]  ワイヤレス通信ネットワーク１００はまた、中継局を含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥのための送信を中継するＵＥであり得る。図１に示される例では、中継局１１０ｒが、ＢＳ１１０ａとＵＥ１２０ｒの間の通信を容易にするために、ＢＳ１１０ａおよびＵＥ１２０ｒと通信し得る。中継局は、中継ＢＳ、中継器などとも呼ばれ得る。
【００３１】
[0045]  ワイヤレス通信ネットワーク１００は、異なるタイプのＢＳ、例えば、マクロＢＳ、ピコＢＳ、フェムトＢＳ、中継器などを含む異種ネットワークであり得る。これらの異なるタイプのＢＳは、ワイヤレス通信ネットワーク１００において、異なる送信電力レベル、異なるカバレッジエリア、および干渉に対する異なる影響を有し得る。例えば、マクロＢＳは、高い送信電力レベル（例えば、２０ワット）を有し得、一方、ピコＢＳ、フェムトＢＳ、および中継器は、より低い送信電力レベル（例えば、１ワット）を有し得る。
【００３２】
[0046]  ワイヤレス通信ネットワーク１００は、同期または非同期動作をサポートし得る。同期動作の場合、複数のＢＳは、同様のフレームタイミングを有し得、異なるＢＳからの送信は、ほぼ時間的に揃えられ得る。非同期動作の場合、複数のＢＳは、異なるフレームタイミングを有し得、異なるＢＳからの送信は、時間的に揃えられていない場合がある。本明細書で説明される技法は、同期動作と非同期動作の両方のために使用され得る。
【００３３】
[0047]  ネットワークコントローラ１３０が、ＢＳのセットに結合し、これらのＢＳに協調および制御を提供し得る。ネットワークコントローラ１３０は、バックホールを介してＢＳ１１０と通信し得る。ＢＳ１１０はまた、例えば、ワイヤレスまたはワイヤラインバックホールを介して（例えば、直接的または間接的に）互いに通信し得る。
【００３４】
[0048]  ＵＥ１２０（例えば、１２０ｘ、１２０ｙなど）は、ワイヤレス通信ネットワーク１００全体にわたって分散され得、各ＵＥは、固定またはモバイルであり得る。ＵＥは、移動局、端末、アクセス端末、加入者ユニット、局、カスタマ構内設備（ＣＰＥ：Customer Premises Equipment）、セルラフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットコンピュータ、カメラ、ゲームデバイス、ネットブック、スマートブック、ウルトラブック、アプライアンス、医療デバイスまたは医療機器、生体センサ／デバイス、スマートウォッチ、スマート衣料、スマートグラス、スマートリストバンド、スマートジュエリー（例えば、スマートリング、スマートブレスレットなど）のようなウェアラブルデバイス、娯楽デバイス（例えば、音楽デバイス、ビデオデバイス、衛星ラジオなど）、車両用構成要素またはセンサ、スマートメータ／センサ、工業生産機器、全地球測位システムデバイス、またはワイヤレスまたはワイヤード媒体を介して通信するように構成されたその他任意の好適なデバイスとも呼ばれ得る。いくつかのＵＥは、マシンタイプ通信（ＭＴＣ）デバイスまたは発展型ＭＴＣ（ｅＭＴＣ：evolved MTC）デバイスと見なされ得る。ＭＴＣ  ＵＥおよびｅＭＴＣ  ＵＥは、ＢＳ、別のデバイス（例えば、遠隔デバイス）、または何らかの他のエンティティと通信し得る、例えば、ロボット、ドローン、遠隔デバイス、センサ、メータ、モニタ、ロケーションタグなどを含む。ワイヤレスノードは、例えば、ワイヤードまたはワイヤレス通信リンクを介して、ネットワーク（例えば、セルラネットワークまたはインターネットのようなワイドエリアネットワーク）のための、またはネットワークへの接続性を提供し得る。いくつかのＵＥは、狭帯域ＩｏＴ（ＮＢ−ＩｏＴ）デバイスであり得るモノのインターネット（ＩｏＴ）デバイスと見なされ得る。１、両矢印付きの実線は、ＵＥとサービングＢＳとの間の所望の送信を示し、このサービングＢＳは、ダウンリンクおよび／またはアップリンク上でＵＥにサービス提供するように指定されたＢＳである。両矢印付きの細かい破線は、ＵＥとＢＳとの間の干渉する送信を示す。
【００３５】
[0049]  ある特定のワイヤレスネットワーク（例えば、ＬＴＥ）は、ダウンリンク上で直交周波数分割多重化（ＯＦＤＭ）およびアップリンク上でシングルキャリア周波数分割多重化（ＳＣ−ＦＤＭ）を利用する。ＯＦＤＭおよびＳＣ−ＦＤＭは、システム帯域幅を、一般に、トーン、ビンなどとも呼ばれる、複数（Ｋ個）の直交サブキャリアに区分する。各サブキャリアは、データで変調され得る。一般に、変調シンボルは、ＯＦＤＭで周波数領域において、ＳＣ−ＦＤＭで時間領域において送られる。隣接するサブキャリア間の間隔は、固定であり得、サブキャリアの総数（Ｋ）は、システム帯域幅に依存し得る。例えば、サブキャリアの間隔は、１５ｋＨｚであり得、最小のリソース割振り（「リソースブロック」（ＲＢ）と呼ばれる）は、１２個のサブキャリア（すなわち、１８０ｋＨｚ）であり得る。結果として、公称の高速フーリエ変換（ＦＦＴ）サイズは、１．２５、２．５、５、１０、または２０メガヘルツ（ＭＨｚ）のシステム帯域幅に対して、それぞれ、１２８、２５６、５１２、１０２４、または２０４８に等しくなり得る。システム帯域幅はまた、サブバンドに区分され得る。例えば、サブバンドは、１．０８ＭＨｚ（すなわち、６個のリソースブロック）をカバーし得、１．２５、２．５、５、１０、または２０ＭＨｚのシステム帯域幅に対して、それぞれ、１、２、４、８、または１６個のサブバンドが存在し得る。
【００３６】
[0050]  本明細書で説明される例の態様が、ＬＴＥ技術に関連付けられ得る一方で、本開示の態様は、ＮＲのような他のワイヤレス通信システムに適用可能であり得る。
【００３７】
[0051]  ＮＲは、アップリンクおよびダウンリンク上でＣＰを用いるＯＦＤＭを利用し、ＴＤＤを使用する半二重動作に対するサポートを含み得る。ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を用いる、最大８個の送信アンテナをサポートし得る。ＵＥごとに最大２ストリームを用いるマルチレイヤ送信がサポートされ得る。複数のセルのアグリゲーションが、最大８個のサービングセルを用いてサポートされ得る。
【００３８】
[0052]  いくつかの例では、エアインターフェースへのアクセスがスケジュールされ得る。スケジューリングエンティティ（例えば、ＢＳ）が、そのサービスエリアまたはセル内の、いくつかまたは全てのデバイスおよび機器間の通信のためのリソースを割り振る。スケジューリングエンティティは、１つまたは複数の下位エンティティ（subordinate entities）のためのリソースを、スケジュールすること、割り当てること、再構成すること、および解放することを担い得る。すなわち、スケジュールされた通信のために、下位エンティティは、スケジューリングエンティティによって割り振られるリソースを利用する。基地局は、スケジューリングエンティティとして機能し得る唯一のエンティティでない。いくつかの例では、ＵＥが、スケジューリングエンティティとして機能し得、１つまたは複数の下位エンティティ（例えば、１つまたは複数の他のＵＥ）のためのリソースをスケジュールし得、他のＵＥは、ワイヤレス通信のためにＵＥによってスケジュールされたリソースを利用し得る。いくつかの例では、ＵＥが、ピアツーピア（Ｐ２Ｐ）ネットワークにおいて、および／またはメッシュネットワークにおいて、スケジューリングエンティティとして機能し得る。メッシュネットワークの例では、ＵＥが、スケジューリングエンティティと通信することに加えて、互いに直接的に通信し得る。
【００３９】
[0053]  図２には、図１に例示されたワイヤレス通信ネットワーク１００において実施され得る、分散型無線アクセスネットワーク（ＲＡＮ：Radio Access Network）２００の例となる論理アーキテクチャを例示する。５Ｇアクセスノード２０６は、アクセスノードコントローラ（ＡＮＣ：access node controller）２０２を含み得る。ＡＮＣ２０２は、分散型ＲＡＮ２００の中央ユニット（ＣＵ：central unit）であり得る。次世代コアネットワーク（ＮＧ−ＣＮ：Next Generation Core Network）２０４へのバックホールインターフェースは、ＡＮＣ２０２で終端（terminate）し得る。隣接する次世代アクセスノード（ＮＧ−ＡＮ）２１０へのバックホールインターフェースは、ＡＮＣ２０２で終端し得る。ＡＮＣ２０２は、１つまたは複数のＴＲＰ２０８（例えば、セル、ＢＳ、ｇＮＢなど）を含み得る。
【００４０】
[0054]  ＴＲＰ２０８は、分散ユニット（ＤＵ：distributed unit）であり得る。ＴＲＰ２０８は、単一のＡＮＣ（例えば、ＡＮＣ２０２）または１つより多くのＡＮＣ（図示せず）に接続され得る。例えば、ＲＡＮ共有、サービスとしての無線（ＲａａＳ：radio as a service）、およびサービス固有のＡＮＤ展開の場合、ＴＲＰ２０８は、１つより多くのＡＮＣに接続され得る。ＴＲＰ２０８は、１つまたは複数のアンテナポートをそれぞれ含み得る。ＴＲＰ２０８は、個別に（例えば、動的な選択）または共同で（例えば、ジョイント送信）、ＵＥへのトラフィックをサービス（serve）するように構成され得る。
【００４１】
[0055]  分散型ＲＡＮ２００の論理アーキテクチャは、異なる展開タイプにわたるフロントホーリング解決策（fronthauling solutions）をサポートし得る。例えば、論理アーキテクチャは、送信ネットワーク能力（例えば、帯域幅、レイテンシ、および／またはジッタ）に基づき得る。
【００４２】
[0056]  分散型ＲＡＮ２００の論理アーキテクチャは、ＬＴＥについて特徴（features）および／または構成要素を共有し得る。例えば、次世代アクセスノード（ＮＧ−ＡＮ）２１０は、ＮＲとのデュアルコネクティビティをサポートし得、ＬＴＥおよびＮＲのための共通フロントホールを共有し得る。
【００４３】
[0057]  分散型ＲＡＮ２００の論理アーキテクチャは、例えば、ＴＲＰ内でおよび／またはＡＮＣ２０２を介して複数のＴＲＰにわたって、ＴＲＰ２０８同士および複数のＴＲＰ２０８の間での（between and among TRPs 208）協調を可能にし得る。ＴＲＰ間インターフェースは、使用されない場合がある。
【００４４】
[0058]  論理機能は、分散型ＲＡＮ２００の論理アーキテクチャにおいて動的に分散され得る。図５を参照してより詳細に説明されるように、無線リソース制御（ＲＲＣ：Radio Resource Control）レイヤ、パケットデータコンバージェンスプロトコル（ＰＤＣＰ：Packet Data Convergence Protocol）レイヤ、無線リンク制御（ＲＬＣ：Radio Link Control）レイヤ、媒体アクセス制御（ＭＡＣ：Medium Access Control）レイヤ、および物理（ＰＨＹ：Physical）レイヤは、ＤＵ（例えば、ＴＲＰ２０８）またはＣＵ（例えば、ＡＮＣ２０２）に適応的に（adaptably）配置され得る。
【００４５】
[0059]  図３は、本開示の態様による、分散型ＲＡＮ３００の例となる物理アーキテクチャを例示する。集中型コアネットワークユニット（Ｃ−ＣＵ：centralized core network unit）３０２が、コアネットワーク機能をホストし得る。Ｃ−ＣＵ３０２は、中央に展開され得る。Ｃ−ＣＵ３０２機能は、ピーク容量を処理するために、（例えば、アドバンストワイヤレスサービス（ＡＷＳ：advanced wireless services）に）オフロードされ得る。
【００４６】
[0060]  集中型ＲＡＮユニット（Ｃ−ＲＵ：centralized RAN unit）３０４が、１つまたは複数のＡＮＣ機能をホストし得る。オプションで、Ｃ−ＲＵ３０４は、ローカルにコアネットワーク機能をホストし得る。Ｃ−ＲＵ３０４は、分散型展開を有し得る。Ｃ−ＲＵ３０４は、ネットワークエッジの近くにあり得る。
【００４７】
[0061]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を伴って（with）ネットワークのエッジに位置し得る。
【００４８】
[0062]  図４は、本開示の態様を実施するために使用され得る、（図１に図示されたような）ＢＳ１１０およびＵＥ１２０の例となる構成要素を例示する。例えば、ＵＥ１２０のアンテナ４５２、プロセッサ４６６、４５８、４６４、および／またはコントローラ／プロセッサ４８０、および／または、ＢＳ１１０のアンテナ４３４、プロセッサ４２０、４３０、４３８、および／またはコントローラ／プロセッサ４４０は、図８〜図９を参照して例示されおよび本明細書で説明される様々な技法および方法を行うために使用され得る。
【００４９】
[0063]  ＢＳ１１０において、送信プロセッサ４２０は、データソース４１２からデータを、およびコントローラ／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッドＡＲＱインジケータチャネル（ＰＨＩＣＨ：physical hybrid ARQ indicator channel）、物理ダウンリンク制御チャネル（ＰＤＣＣＨ：physical downlink control channel）、グループ共通ＰＤＣＣＨ（ＧＣ  ＰＤＣＣＨ：group common PDCCH）などのためのものであり得る。データは、物理ダウンリンク共有チャネル（ＰＤＳＣＨ：physical downlink shared channel）などのためのものであり得る。プロセッサ４２０は、データおよび制御情報を処理（例えば、符号化およびシンボルマッピング）して、それぞれ、データシンボルおよび制御シンボルを取得し得る。プロセッサ４２０はまた、例えば、プライマリ同期信号（ＰＳＳ：primary synchronization signal）、セカンダリ同期信号（ＳＳＳ：secondary synchronization signal）、およびセル固有基準信号（ＣＲＳ：cell-specific reference signal）のための、基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、変調器（ＭＯＤ）４３２ａ〜４３２ｔに出力シンボルストリームを提供し得る。各変調器４３２は、（例えば、ＯＦＤＭなどのために）それぞれの出力シンボルストリームを処理して、出力サンプルストリームを取得し得る。各変調器は、出力サンプルストリームをさらに処理（例えば、アナログ変換、増幅、フィルタリング、およびアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００５０】
[0064]  ＵＥ１２０において、アンテナ４５２ａ〜４５２ｒは、基地局１１０からダウンリンク信号を受信し得、受信された信号を、それぞれ、トランシーバにおける復調器（ＤＥＭＯＤ）４５４ａ〜４５４ｒに提供し得る。各復調器４５４は、それぞれの受信された信号を調整（例えば、フィルタリング、増幅、ダウンコンバート、およびデジタル化）して、入力サンプルを取得し得る。各復調器は、（例えば、ＯＦＤＭなどのために）入力サンプルをさらに処理して、受信されたシンボルを取得し得る。ＭＩＭＯ検出器４５６は、全ての復調器４５４ａ〜４５４ｒから受信されたシンボルを取得し、適用可能な場合、受信されたシンボルに対してＭＩＭＯ検出を行い、検出されたシンボルを提供し得る。受信プロセッサ４５８は、検出されたシンボルを処理（例えば、復調、デインターリーブ、および復号）し、ＵＥ１２０のための復号されたデータをデータシンク４６０に提供し、復号された制御情報をコントローラ／プロセッサ４８０に提供し得る。
【００５１】
[0065]  アップリンク上では、ＵＥ１２０で、送信プロセッサ４６４が、データソース４６２からの（例えば、物理アップリンク共有チャネル（ＰＵＳＣＨ）のための）データと、コントローラ／プロセッサ４８０からの（例えば、物理アップリンク制御チャネル（ＰＵＣＣＨ）のための）制御情報とを受信および処理し得る。送信プロセッサ４６４はまた、（例えば、サウンディング基準信号（ＳＲＳ）のための）基準信号のための基準シンボルを生成し得る。送信プロセッサ４６４からのシンボルは、適用可能な場合、ＴＸ  ＭＩＭＯプロセッサ４６６によってプリコーディングされ、（例えば、ＳＣ−ＦＤＭなどのために）トランシーバにおける復調器４５４ａ〜４５４ｒよってさらに処理され、基地局１１０に送信され得る。ＢＳ１１０で、ＵＥ１２０からのアップリンク信号は、アンテナ４３４によって受信され、変調器４３２によって処理され、適用可能な場合、ＭＩＭＯ検出器４３６によって検出され、受信プロセッサ４３８によってさらに処理されて、ＵＥ１２０によって送られた、復号されたデータおよび制御情報を取得し得る。受信プロセッサ４３８は、復号されたデータをデータシンク４３９に提供し、復号された制御情報をコントローラ／プロセッサ４４０に提供し得る。
【００５２】
[0066]  コントローラ／プロセッサ４４０および４８０は、それぞれ、ＢＳ１１０およびＵＥ１２０における動作を指示し得る。ＢＳ１１０におけるプロセッサ４４０および／または他のプロセッサおよびモジュールは、本明細書で説明される技法のためのプロセスの実行を行うかまたは指示し得る。メモリ４４２および４８２は、それぞれ、ＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５３】
[0067]  図５は、本開示の態様による、通信プロトコルスタックを実施するための例を示す図５００を例示する。例示された通信プロトコルスタックは、５Ｇシステム（例えば、アップリンクベースのモビリティをサポートするシステム）のような、ワイヤレス通信システムにおいて動作するデバイスによって実施され得る。図５００は、ＲＲＣレイヤ５１０、ＰＤＣＰレイヤ５１５、ＲＬＣレイヤ５２０、ＭＡＣレイヤ５２５、およびＰＨＹレイヤ５３０を含む、通信プロトコルスタックを例示する。様々な例において、プロトコルスタックのレイヤは、ソフトウェアの個別モジュール、プロセッサまたはＡＳＩＣの部分、通信リンクによって接続された非コロケートデバイスの部分、またはそれらの様々な組合せとして実施され得る。コロケートおよび非コロケートの実施形態は、例えば、ネットワークアクセスデバイス（例えば、ＡＮ、ＣＵ、および／またはＤＵ）またはＵＥのためのプロトコルスタックにおいて、使用され得る。
【００５４】
[0068]  第１のオプション５０５−ａは、プロトコルスタックの実施形態が、集中型ネットワークアクセスデバイス（例えば、図２のＡＮＣ２０２）と、分散型ネットワークアクセスデバイス（例えば、図２のＤＵ２０８）との間で分割（split）される、プロトコルスタックの分割実施形態を示す。第１のオプション５０５−ａでは、ＲＲＣレイヤ５１０およびＰＤＣＰレイヤ５１５が、中央ユニットによって実施され得、ＲＬＣレイヤ５２０、ＭＡＣレイヤ５２５、およびＰＨＹレイヤ５３０は、ＤＵによって実施され得る。様々な例において、ＣＵおよびＤＵは、コロケートされるか、または非コロケートされ得る。第１のオプション５０５−ａは、マクロセル、マイクロセル、またはピコセルの展開において有用であり得る。
【００５５】
[0069]  第２のオプション５０５−ｂは、プロトコルスタックが、単一のネットワークアクセスデバイスにおいて実施される、プロトコルスタックの統合実施形態を示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０が、ＡＮによってそれぞれ実施され得る。第２のオプション５０５−ｂは、例えば、フェムトセルの展開において有用であり得る。
【００５６】
[0070]  ネットワークアクセスデバイスが、プロトコルスタックの一部を実施するか、あるいはプロトコルスタックの全てを実施するかにかかわらず、ＵＥは、５０５−ｃに示されるようなプロトコルスタック全体（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実施し得る。
【００５７】
[0071]  ＬＴＥにおいて、基本的な送信時間間隔（ＴＴＩ）またはパケット持続時間は、１ｍｓのサブフレームである。ＮＲでは、サブフレームが引き続き１ｍｓであるが、基本的なＴＴＩはスロットと呼ばれる。サブフレームは、サブキャリア間隔に依存して、可変数のスロット（例えば、１、２、４、８、１６、．．．個のスロット）を含む。ＮＲ  ＲＢは、１２個の連続した周波数サブキャリアである。ＮＲは、１５ＫＨｚのベースサブキャリア間隔をサポートし得、例えば、３０ｋＨｚ、６０ｋＨｚ、１２０ｋＨｚ、２４０ｋＨｚなどの、他のサブキャリア間隔がベースサブキャリア間隔に関して定義され得る。シンボルおよびスロット長は、サブキャリア間隔に比例する（scale with）。ＣＰ長もまた、サブキャリア間隔に依存する。
【００５８】
[0072]  図６は、ＮＲのためのフレームフォーマット６００の例を示す図である。ダウンリンクおよびアップリンクの各々についての送信タイムラインは、無線フレームの単位に区分され得る。各無線フレームは、所定の持続時間（例えば、１０ｍｓ）を有し得、０〜９のインデックスをもつ各々が１ｍｓの１０個のサブフレームに区分され得る。各サブフレームは、サブキャリア間隔に依存して可変数のスロットを含み得る。各スロットは、サブキャリア間隔に依存して可変数のシンボル期間（例えば、７個または１４個のシンボル）を含み得る。各スロットにおけるシンボル期間は、インデックスを割り当てられ得る。サブスロット構造と呼ばれ得るミニスロットが、スロット未満の持続時間（例えば、２個、３個、または４個のシンボル）を有する送信時間間隔を指す。
【００５９】
[0073]  スロットにおける各シンボルは、データ送信についてのリンク方向（例えば、ＤＬ、ＵＬ、またはフレキシブル）を示し得、各サブフレームについてのリンク方向は、動的に切り替えられ得る。リンク方向は、スロットフォーマットに基づき得る。各スロットは、ＤＬ／ＵＬデータ並びにＤＬ／ＵＬ制御情報を含み得る。
【００６０】
[0074]  ＮＲでは、同期信号（ＳＳ）ブロックが送信される。ＳＳブロックは、ＰＳＳ、ＳＳＳ、および２シンボルＰＢＣＨを含む。ＳＳブロックは、図６に示されるようなシンボル０〜３のような固定されたスロットロケーションにおいて送信され得る。ＰＳＳおよびＳＳＳは、セルの探索および獲得（cell search and acquisition）のためにＵＥによって使用され得る。ＰＳＳは、半フレームタイミングを提供し得、ＳＳは、ＣＰ長およびフレームタイミングを提供し得る。ＰＳＳおよびＳＳＳは、セルアイデンティティを提供し得る。ＰＢＣＨは、ダウンリンクシステム帯域幅、無線フレーム内のタイミング情報、ＳＳバーストセット周期性、システムフレーム番号などのような、いくつかの基本システム情報を搬送する。ＳＳブロックは、ビームスイーピングをサポートするためにＳＳバーストに編成され得る。残りの最小システム情報（ＲＭＳＩ：remaining minimum system information）、システム情報ブロック（ＳＩＢ：system information blocks）、他のシステム情報（ＯＳＩ：other system information）のようなさらなるシステム情報が、ある特定のサブフレームにおける物理ダウンリンク共有チャネル（ＰＤＳＣＨ）上で送信され得る。ＳＳブロックは、例えば、ｍｍＷのための最大６４個の異なるビーム方向を用いて、最大６４回送信され得る。ＳＳブロックの最大６４回の送信は、ＳＳバーストセットと呼ばれる。１つのＳＳバーストセットにおけるＳＳブロックは、同じ周波数領域において送信され、一方、異なるＳＳバーストセットにおけるＳＳブロックは、異なる周波数ロケーションで送信され得る。
【００６１】
[0075]  いくつかの状況では、２つ以上の下位エンティティ（例えば、ＵＥ）が、サイドリンク信号を使用して互いに通信し得る。このようなサイドリンク通信の現実世界でのアプリケーションは、公共安全、近接サービス、ＵＥ−ネットワーク中継、車対車間（Ｖ２Ｖ：vehicle-to-vehicle）通信、全てのインターネット（ＩｏＥ：Internet-of-Everything）通信、ＩｏＴ通信、ミッションクリティカルメッシュ、および／または様々な他の好適なアプリケーションを含み得る。一般に、サイドリンク信号は、スケジューリングエンティティがスケジューリングおよび／または制御目的のために利用され得るにもかかわらず、スケジューリングエンティティ（例えば、ＵＥまたはＢＳ）を通じてその通信を中継することなく、１つの下位エンティティ（例えば、ＵＥ１）から別の下位エンティティ（例えば、ＵＥ２）に通信される信号を指し得る。いくつかの例において、サイドリンク信号は、（通常、アンライセンススペクトルを使用するワイヤレスローカルエリアネットワークとは異なり）ライセンススペクトルを使用して通信され得る。
【００６２】
[0076]  ＵＥは、リソースの専用セットを使用してパイロットを送信することに関連付けられた構成（例えば、無線リソース制御（ＲＲＣ）専用状態など）、またはリソースの共通セットを使用してパイロットを送信することに関連付けられた構成（例えば、ＲＲＣ共通状態など）を含む、様々な無線リソース構成において動作し得る。ＲＲＣ専用状態で動作しているとき、ＵＥは、パイロット信号をネットワークに送信するために、リソースの専用セットを選択し得る。ＲＲＣ共通状態で動作しているとき、ＵＥは、パイロット信号をネットワークに送信するために、リソースの共通セットを選択し得る。いずれのケースでも、ＵＥによって送信されるパイロット信号は、ＡＮまたはＤＵのような、１つまたは複数のネットワークアクセスデバイス、あるいはその部分によって受信され得る。各受信ネットワークアクセスデバイスは、リソースの共通セット上で送信されるパイロット信号を受信および測定し、そしてまた、ネットワークアクセスデバイスがそのＵＥについてのネットワークアクセスデバイスの監視セットのメンバである、ＵＥに割り振られたリソースの専用セット上で送信されたパイロット信号を受信および測定するように構成され得る。受信ネットワークアクセスデバイスのうちの１つまたは複数、または（１つまたは複数の）受信ネットワークアクセスデバイスがパイロット信号の測定値を送信する先のＣＵは、ＵＥのためのサービングセルを識別するために、またはＵＥのうちの１つまたは複数のためのサービングセルの変更を開始するために、測定値を使用し得る。
【００６３】
＜ｍｍＷシステムにおける例となる協調送信＞  
[0077]  本開示の態様は、５Ｇ−ＮＲシステムのための装置、方法、処理システム、およびコンピュータ可読媒体を提供する。上述されたように、ＮＲは、高いキャリア周波数（例えば、２５ＧＨｚ以上）をターゲットとするミリメートル波（ｍｍＷ）を含む、様々なワイヤレス通信サービスをサポートする。
【００６４】
[0078]  ｍｍＷシステムでは、シグナリングがビームフォーミングされ得る。シグナリングは、単一のデバイスから別のデバイスへのものであり得る。例えば、単一の基地局（ＢＳ）から単一のユーザ機器（ＵＥ）へなど。ダウンリンクビームフォーミングの場合、ＢＳは、ビームフォーミングベクトルｆに沿ってビームフォーミングし、ＵＥは、ベクトルｇに沿って受信する。いくつかの例では、ｆおよびｇに対する低複雑度近似が、チャネルＨの支配的な（例えば、最も強い）放射角（ＡｏＤ：angle-of-departure）および到来角（ＡｏＡ：angle-of-arrival）に沿ったビームステアリングのために使用される。
【００６５】
[0079]  いくつかのケースでは、複数の送信が協調され得る。換言すれば、複数の送信ポイントが、単一のデバイスに同じ信号を送信し得る。協調送信は、複数のＢＳ（例えば、次世代ノードＢ（ｇＮＢ））または複数の送受信ポイント（ＴＲＰ）（例えば、単一のＢＳのアンテナパネル、アンテナアレイ、または異なるアンテナのような）から、単一のＵＥへのものであり得る。図７は、本開示のある特定の態様による、ＵＥへの２つのＢＳ（ｇＮＢ１およびｇＮＢ２）による協調送信の例を示す図である。図７に示されるように、ｇＮＢ１およびｇＮＢ２の両方が、ＵＥに共有信号を送信する。信号は、同時に、または、いくつかのケースにおいて、異なる時間に送信され得る。ｇＮＢ１は、ビームフォーミングベクトルｆ１およびチャネルＨ１上で信号を送信し、ｇＮＢ２は、ビームフォーミングベクトルｆ２およびチャネルＨ２上で信号を送信する。ＵＥは、ｇＮＢの両方からの受信のためにビームフォーミングベクトルｇを選択する。ビームフォーミングベクトルは、受信信号対雑音比（ＳＮＲ）を最大化し、スループットを最大化し、および／または別の適切なメトリックを最大化しようとする試みにおいて選択され得る。図７は、２つのｇＮＢによる協調送信を示しているが、協調送信は、任意の数の複数のｇＮＢまたはＴＲＰによって行われ得る。
【００６６】
[0080]  コフェージング（co-phasing）は、アンテナからの高いアレイ利得を達成するための１つのアプローチである。コフェージングは、ある特定の距離（例えば、１／２波長以上）離れた複数のアンテナを使用し、信号エネルギーが向上されるようにアンテナのためのビーム重みを同相だが２つ以上の別個の方向に供給することを含む。コフェージングは、ＳＮＲを最大化するビームフォーミング重みベクトルを見つけることと等価であり得る。
【００６７】
[0081]  従って、本開示の態様は、ｍｍＷシステムのような、ある特定のシステムにおける協調送信のための技法および装置を提供する。ある特定の態様によれば、別々のビームトレーニングが、協調ビームフォーミングされた送信に関与する送信ポイントの各々によって使用される送信ビームと、協調ビームフォーミングされた送信を受信するためのＵＥにおける受信ビームとのビームペア（例えば、最良または最強のペア、あるいは強度／品質しきい値を満たすビーム）を識別するために、ＵＥと共に（with）送信ポイントによって行われ得る。ＵＥは、選択された１つまたは複数の送信ビーム（例えば、ビームインデックス、および、オプションで、関連する信号測定値）を送信ポイントにフィードバックする。加えて、ＵＥは、コフェーズ因子（例えば、周波数および／または位相補正因子）を決定し、ＢＳにコフェーズ因子を提供し得る。例えば、ビームトレーニングに基づいて、ＵＥは、ビームフォーミング後の複素信号／シンボル推定値を決定し、送信ポイントためのコフェーズ因子を決定するために、推定値を相関させ得る。ＢＳは、協調ビームフォーミングされた送信を形成するために、示されたコフェーズ因子およびビームを使用し得る。ＵＥはまた、ＵＥが、協調ビームフォーミングされた送信を受信するための、整合フィルタリングビームのような受信ビームを形成するために、決定された受信ビームと共に使用し得る、コフェーズ因子を決定し得る。いくつかの例において、ＢＳおよびＵＥは、ＵＥが受信ビームのためのコフェーズ因子を決定するために、選択されたビームペアを使用して、別のＵＥ固有ビームトレーニングを行う。
【００６８】
[0082]  図８は、本開示のある特定の態様による、ワイヤレス通信のための例となる動作８００を例示するフロー図である。動作８００は、例えば、ＵＥ内の回路構成要素によってなど、ＵＥ（例えば、図１のワイヤレス通信ネットワーク１００において例示されたＵＥ１２０のうちの１つのような）によって行われ得る。図４のＴＸ  ＭＩＭＯプロセッサ４６６は、本明細書で説明される動作８００のための例示的なプロセッサとして機能し得る。代替として、ＭＩＭＯプロセッサ４６６は、コフェーズ補正因子（co-phase correction factors）を決定するための専用または共有回路を有し得、コントローラ／プロセッサ４８０、ＭＩＭＯ検出器４５６、送信プロセッサ４６４、および／または受信プロセッサ４５８のような他のプロセッサがまた、本明細書で説明される動作８００の一部分を行うために使用され得る。シグナリングすること、提供すること、示すことなどのための動作は、図４に示されたＵＥ１２０の送信チェーン回路によって行われ得、これは、コントローラ／プロセッサ４８０、データソース６６２、送信プロセッサ４６４、ＴＸ  ＭＩＭＯプロセッサ４６６、（１つまたは複数の）変調器４５４ａ〜４５４ｒ、および／または（１つまたは複数の）アンテナ４５４ａ〜４５４ｒを含み得る。受信するための動作は、ＵＥ１２０の受信チェーン回路によって行われ得、これは、コントローラ／プロセッサ４８０、受信プロセッサ４５８、ＭＩＭＯ検出器４５６、（１つまたは複数の）復調器４５４ａ〜４５４ｒ、および／または（１つまたは複数の）アンテナ４５４ａ〜４５４ｒを含み得る。
【００６９】
[0083]  動作８００は、８０６で、複数のＢＳ（例えば、ＴＲＰ）の各々による送信（例えば、シングルユーザ送信）のための１つまたは複数の選択されたビーム（例えば、最良または最強のビーム、あるいは強度／品質しきい値を満たすビーム）のインジケーションを複数のＢＳ（または複数のＴＲＰ）に提供することによって開始し得る。図８に示されるように、８０２でオプションとして、１つまたは複数の選択されたビームを決定するために、ＵＥは、複数のＢＳの各々との初期ビームトレーニング（例えば、ビームアラインメントプロシージャとも呼ばれる）に別々に参加し得る。ＢＳは、ビームトレーニングプロシージャの一部として、ビームスイーピングを用いてＵＥに信号を送り得る。例えば、ＢＳは、それらのビームコードブック（例えば、有限精度コードブック（finite-precision codebooks））を通じてビームをスイープし得、これは、指向性ビームまたは他のものであり得る。いくつかの例において、ビームスイープされた信号は、セカンダリ同期信号（ＳＳＳ）であり得る。ビームトレーニングから、ＵＥは、複数のＢＳのための１つまたは複数の選択されたビームを識別し得る。ＵＥは、選択されたビームを識別するインデックスを提供し得る。図７に例示されたｇＮＢ１およびｇＮＢ２のような２つのｇＮＢの場合、ｇＮＢ１は、Ｆ１＝｛ｃ１，．．．ｃＭ｝として示されるサイズＭのコードブックを有し得、ｇＮＢ２は、Ｆ２＝｛ｄ１，．．．ｄＭ｝として示されるサイズＮのコードブックを有し得る。ｇＮＢ１のための選択されたビームは、ｆ１，ｏｐｔ＝ｃｉで示され得、ｇＮＢ２のための選択されたビームは、ｆ２，ｏｐｔ＝ｄｊで示され得る。いくつかの例において、コードブックインデックスは、それぞれのチャネルのランク−１近似を表し得る。
【００７０】
[0084]  ビームトレーニング中、ＵＥはまた、信号を受信するためのＵＥにおけるビームを選択し得る（例えば、最強または最良、あるいは強度／品質しきい値を満たすビームを決定する）。従って、ＵＥは、複数のＢＳの各々についてのビームペア（例えば、最良または最強のペア、あるいは強度／品質しきい値を満たすビームペア）を識別し得る。ＵＥは、Ｇ１＝｛ｅ１，．．．ｅＭ｝として示されるサイズＰのコードブックを使用し得る。ｇＮＢ１とのビームトレーニングに基づいて、ｇＮＢ１から受信するためのＵＥにおいて識別されたビームは、ｇ１，ｏｐｔ＝ｅｋで示され得る。ｇＮＢ２とのビームトレーニングに基づいて、ｇＮＢ２から受信するためのＵＥにおいて識別されたビームは、ｇ２，ｏｐｔ＝ｅｌで示され得る。
【００７１】
[0085]  図８に示されるように、８０４でオプションとして、ＵＥはまた、複数のＢＳに、最良のビーム（または、最良のビームペア、あるいは強度／品質しきい値を満たすビームまたはビームペア）の各々に関連付けられた信号強度のインジケーションを提供し得る。例えば、ＵＥは、ビームトレーニング中に送信された信号の信号強度測定を行い得る。示された信号強度は、最良のビーム（または、強度／品質しきい値を満たすビーム）の各々に関連付けられた、基準信号受信電力（ＲＳＲＰ：reference signal received power）、基準信号受信品質（ＲＳＲＱ：reference signal received quality）、信号対雑音比（ＳＮＲ：signal-to-noise ratio）、および／または信号対干渉および雑音比（ＳＩＮＲ：signal-to-interference and noise ratio）を含み得る。示された信号強度測定値は、例えば、ＵＥへの送信のための変調およびコーディング方式（ＭＣＳ：modulation and coding scheme）を決定するために、ＢＳによって使用され得る。図７の２つのｇＮＢの例において、ＲＳＲＰ測定値の場合、ｇＮＢ１との選択されたビームペアのためのＲＳＲＰは、ＲＳＲＰｋｉで示され得、ｇＮＢ２との選択されたビームペアのためのＲＳＲＰは、ＲＳＲＰｌｊで示され得る。
【００７２】
[0086]  ８０８で、ＵＥは、１つまたは複数のコフェーズ因子（例えば、コフェージング因子(co-phasing factors)またはコフェーズ補正因子(co-phase correction factors)）を決定する。ＵＥは、１つまたは複数のコフェーズ因子のインジケーションを複数のＢＳに提供し得る。コフェーズ因子は、ｇＮＢのサブセットまたは全てに対して提供され得る。コフェーズ因子は、モジュロ量子化制約（modulo quantization constraints）に対応し得る。図８に示されるように、１つまたは複数のコフェーズ因子を決定することは、８１０で、ＢＳによる送信のための１つまたは複数のビームを識別した後に、ＵＥが、（例えば、複数のｇＮＢの各々との、最良のビームペア、または強度／品質しきい値を満たすビームについての）１つまたは複数の選択されたビームの各々に関連付けられたシンボル推定値（例えば、ビームフォーミング後の複素信号／シンボル推定値）を決定し得ることを含み得る。
【００７３】
[0087]  いくつかの例において、ＵＥは、ｇＮＢにシンボル推定値をフィードバックし得、ｇＮＢは、コフェーズ因子を決定するためにシンボル推定値を使用し得る。しかしながら、本明細書で説明される例において、ＵＥは、以下でより詳細に説明されるように、コフェーズ因子を決定するためにシンボル推定値を使用し、ｇＮＢにコフェーズ因子をフィードバックする。シンボル推定値は、選択されたビームペア、チャネルＨ、ＵＥとｇＮＢとの間のリンクのプリビームフォーミングＳＮＲ（pre-beamforming SNR）、ρ、および受信が低雑音増幅器ｎ（例えば、ランダム量）を用いて行われるときにＵＥで追加される付加雑音に基づき得る。ｇＮＢ１のためのシンボル推定値は、以下の式（１）に基づいて得られ得、ｇＮＢ２のためのシンボル推定値は、以下の式（２）に基づいて得られ得る。
【００７４】
【数１】
2021513787.tif 000003
【００７５】
【数２】
2021513787.tif 000004
【００７６】
[0088]  図８に示されるように、１つまたは複数のコフェーズ因子を決定することは、８１２で、以下の式（３）に従ってコフェーズ因子を得るために、複素信号／シンボル推定値を相関させること（例えば、複数の相関）を含み得る。
【００７７】
【数３】
2021513787.tif 000005
【００７８】
[0089]  いくつかのケースにおいて、コフェーズ因子は、例えば、位相雑音および／またはキャリア周波数オフセット（ＣＦＯ）により、経時的に動的に変化し得る。従って、異なる時間に行われ得る初期アラインメントの後、ＵＥは、コフェーズ因子の別個の推定のために、複数のＢＳとの別のＵＥ固有ビームトレーニングを行い得る。ＵＥ固有ビームトレーニングは、式（１）〜式（３）を使用して決定されたコフェーズ因子を改良するために使用され得る。ＵＥ固有ビームトレーニングは、シンボルおよび周波数リソースの連続したセットにわたって選択されたビームペアを使用し得る。ＵＥ固有ビームトレーニングは、２つのサブシンボルにわたって行われ得る。ＵＥは、雑音および／またはＣＦＯコヒーレンスで（with）コフェーズ因子を推定し得る。
【００７９】
[0090]  図８に示されるように、８１４でオプションとして、ＵＥはまた、選択されたビームペア、コフェーズ因子、および信号強度に基づいて、協調送信の受信のための組み合わせビーム（combining beam）ｇ（例えば、整合フィルタリングビームとも呼ばれる）を決定する。組み合わせビームは、以下の式（４）に従って決定され得る。
【００８０】
【数４】
2021513787.tif 000006
【００８１】
[0091]  ８１６で、ＵＥは、１つまたは複数の選択されたビームおよび１つまたは複数のコフェーズ因子に基づいて、複数のＢＳから協調ビームフォーミングされた送信（例えば、ｍｍＷ送信）を受信する。協調送信はまた、決定された整合フィルタリングビームに基づいて受信され得る。協調送信は、複数のＢＳから同時に（または、ほぼ同時に）受信され得る。協調送信は、複数のＢＳからの同じ（例えば、共有された、例えば、同じ情報ビットの）信号であり得る。
【００８２】
[0092]  いくつかの例において、協調送信は、（例えば、同様の空間カバレッジエリアを有する）同じサブアレイをもつｇＮＢ（またはＲＰ）から受信される。ｇＮＢが、異なる空間カバレッジエリアをもつ異なるサブアレイを有する場合、整合フィルタリングベースの組み合わせビームは、これらの異なるサブアレイにわたる選択になり得る。このケースにおいて、ｇＮＢは、同じ時間周波数リソースブロック（ＲＢ）において送信するように協調し得るが、コフェーズ情報の交換を伴わない場合がある。いくつかの例において、同じ時間周波数ＲＢで２つの異なるサブアレイを動作させる代わりに、ＵＥはサブアレイ選択を行う。
【００８３】
[0093]  ある特定の態様によれば、協調送信は、示されたビームおよびコフェーズ因子に基づいて、時間および周波数リソースの連続したセットにわたって複数のＢＳから受信される。例えば、ｇＮＢ１は、タイムスロットｔ１で送信し得、ｇＮＢ２は、タイムスロットｔ２で送信し得る。このケースにおいて、協調送信は、時間および周波数リソースの連続したセットにおける協調送信を組み合わせるために、デジタルに（例えば、異なるサブアレイにわたって組み合わされる）またはオフライン方式で処理される。従って、ＵＥは、協調送信からアレイ利得を回復し得る。これは、超高信頼性低レイテンシ通信（ＵＲＬＬＣ：ultra-reliable low-latency communications）のような、ある特定の使用ケースにとって有益であり得る。
【００８４】
[0094]  図９は、本開示のある特定の態様による、ワイヤレス通信のための例となる動作９００を例示するフロー図である。動作９００は、例えば、ＢＳ内の回路構成要素によってなど、ＢＳ（例えば、ｇＮＢであり得る、図１に例示されたＢＳ１１０のような）によって行われ得る。図４のＢＳ１１０のＴＸ  ＭＩＭＯプロセッサ４３０は、本明細書で説明される動作９００のための例示的なプロセッサとして機能し得る。代替として、ＴＸ  ＭＩＭＯプロセッサ４３０は、コフェーズ補正因子を決定するための専用または共有回路を有し得、コントローラ／プロセッサ４４０、ＭＩＭＯ検出器４３６、送信プロセッサ４２０、および／または受信プロセッサ４３８のような、他のプロセッサがまた、本明細書で説明される動作９００の一部分を行うために使用され得る。シグナリングすること、提供すること、示すことなどのための動作は、図４に示されたＢＳ１１０の送信チェーン回路によって行われ得、これは、コントローラ／プロセッサ４４０、データソース４１２、送信プロセッサ４２０、ＴＸ  ＭＩＭＯプロセッサ４３０、（１つまたは複数の）変調器４３２ａ〜４３２ｒ、および／または（１つまたは複数の）アンテナ４３４ａ〜４３４ｒを含み得る。受信するための動作は、ＢＳ１１０の受信チェーン回路によって行われ得、これは、コントローラ／プロセッサ４４０、受信プロセッサ４３８、ＭＩＭＯ検出器４３６、（１つまたは複数の）復調器４３２ａ〜４３２ｒ、および／または（１つまたは複数の）アンテナ４３４ａ〜４３４ｒを含み得る。
【００８５】
[0095]  動作９００は、ＵＥによって行われる動作８００に対する、ＢＳによる相補的な動作であり得る。図９に示されるように、９０２でオプションとして、ＢＳは、ＵＥへの協調ビームフォーミングされた送信を行うことを決定するために、他のＢＳと通信し得る。９０４でオプションとして、ＢＳは、ＵＥとの初期ビームトレーニングを行う（例えば、ビームスイープされたＳＳＳをＵＥに送る）。９０６で、ＢＳは、（例えば、初期ビームトレーニングに基づいて）ＢＳによる送信のための１つまたは複数の選択されたビームのインジケーションをＵＥから受信する。ＢＳはまた、１つまたは複数のビームに関連付けられた信号強度（例えば、ＲＳＲＰ、ＲＳＲＱ、ＳＮＲ、および／またはＳＩＮＲ）のインジケーションを受信し得る。
【００８６】
[0096]  図９に示されるように、９０８でオプションとして、ＢＳは、示されたビームを使用して、シンボルおよび周波数リソースの連続したセットにわたってＵＥとのＵＥ固有ビームトレーニングを行う。ＢＳは、ＵＥとのＵＥ固有ビームトレーニングを行うことを決定するために、少なくとも１つの他のＢＳとバックホールを介して通信し得る。９１０で、ＢＳは、１つまたは複数のコフェーズ因子を決定する。いくつかの例において、ＢＳは、ＵＥから１つまたは複数のコフェーズ因子のインジケーションを受信する。
【００８７】
[0097]  ９１２で、ＢＳは、１つまたは複数の選択されたビームおよび１つまたは複数のコフェーズ因子に少なくとも部分的に基づいて、協調ビームフォーミングされた送信（例えば、ｍｍＷ送信）をＵＥに送る。例えば、ＢＳは、示されたコフェーズ因子と共に、示されたビームに基づいて、協調送信のためのビームフォーミングを決定する。
【００８８】
[0098]  図１０は、本開示のある特定の態様による、協調ビームフォーミングされた送信のパフォーマンスを示す例となるグラフ１０００である。グラフ１０００は、曲線１００２におけるＴＲＰ選択および曲線１００４における協調ビームに基づくビームフォーミングについての受信ＳＮＲ対累積分布関数（ＣＤＦ：cumulative distribution function）を示す。グラフ１０００は、ｇＮＢにおける１６個のアンテナ、ＵＥにおける４個のアンテナ、および両方のチャネルにおける６個のクラスタの例を示す。図１１は、本開示のある特定の態様による、協調ビームフォーミングされた送信のパフォーマンスを示す別の例となるグラフ１１００である。グラフ１１００は、曲線１１０２におけるＴＲＰ選択および曲線１１０４における協調ビームに基づくビームフォーミングについての受信ＳＮＲ対ＣＤＦを示す。グラフ１１００は、両方のチャネルにおける２個のクラスタについての例を示す。グラフ１０００および１１００に示されるように、協調ビームフォーミングは、ＴＲＰ選択よりも良好なパフォーマンス利得を示す。
【００８９】
[0099]  図１２は、本開示のある特定の態様による、協調ビームフォーミングされた送信のためのシグナリングを例示する呼のフロー１２００である。図１２に示されるように、ｇＮＢ１  １２０４およびｇＮＢ２  １２０６は、１２０８でバックホールを介した送信を協調させる。次いで、ｇＮＢ１  １２０４およびｇＮＢ２  １２０６は、それぞれ、１２１０および１２１２で、それらのそれぞれのコードブックを使用して、ＵＥ１２０２とのビームトレーニングを別々に行う。ビームトレーニングに基づいて、ＵＥ１２０２は、それぞれ、１２１４および１２１６で、ビームペアのための信号強度と共に、ｇＮＢ１  １２０４のための最良のビーム（または強度／品質しきい値を満たすビーム）およびｇＮＢ２  １２０６のための最良のビーム（または強度／品質しきい値を満たすビーム）のインジケーションを送る。次いで、ｇＮＢ１  １２０４およびｇＮＢ２  １２０６は、１２１８で、バックホールを介してＵＥ固有ビームトレーニングを協調させ、次いで、１２２０で、ＵＥ１２０２によって示されたそれらのそれぞれの最良のビーム（または強度／品質しきい値を満たすビーム）を使用して、ＵＥ固有ビームトレーニングを行い得る。ＵＥ固有ビームトレーニングの後、ＵＥは、それぞれ、１２２２および１２２４で、コフェーズ因子を決定し、それらをｇＮＢ１  １２０６およびｇＮＢ２  １２０８に提供する。示された最良のビーム（または強度／品質しきい値を満たすビーム）およびコフェーズ因子に基づいて、ｇＮＢ１  １２０４およびｇＮＢ２  １２０６は、１２２６でＵＥに協調送信を送る。
【００９０】
[0100]  図１３は、図８に例示された動作のような、本明細書に開示された技法のための動作を行うように構成された様々な構成要素（例えば、ミーンズプラスファンクション構成要素に対応する）を含み得る通信デバイス１３００を例示する。通信デバイス１３００は、トランシーバ１３０８に結合された処理システム１３０２を含む。トランシーバ１３０８は、本明細書で説明された様々な信号のような、通信デバイス１３００のための信号を、アンテナ１３１０を介して送信および受信するように構成される。処理システム１３０２は、通信デバイス１３００によって受信されるおよび／または送信されることになる信号を処理することを含む、通信デバイス１３００のための処理機能を行うように構成され得る。
【００９１】
[0101]  処理システム１３０２は、バス１３０６を介してコンピュータ可読媒体／メモリ１３１２に結合されたプロセッサ１３０４を含む。ある特定の態様において、コンピュータ可読媒体／メモリ１３１２は、プロセッサ１３０４によって実行されると、プロセッサ１３０４に、図８に例示された動作、またはｍｍＷシステムにおける協調送信のための本明細書で論じられた様々な技法を行うための他の動作を行わせる命令（例えば、コンピュータ実行可能コード）を記憶するように構成される。ある特定の態様では、コンピュータ可読媒体／メモリ１３１２が、各ＢＳによる送信のための選択されたビームを示すためのコード１３１４と、コフェーズ因子を決定するためのコード１３１６と、協調ビームフォーミングされた送信を受信するためのコード１３１８とを記憶する。ある特定の態様において、プロセッサ１３０４は、コンピュータ可読媒体／メモリ１３１２に記憶されたコードを実施するように構成された回路を有する。プロセッサ１３０４は、各ＢＳによる送信のための選択されたビームを示すための回路１３２０と、コフェーズ因子を決定するための回路１３２２と、協調ビームフォーミングされた送信を受信するための回路１３２４とを含む。
【００９２】
[0102]  図１４は、図９に例示された動作のような、本明細書に開示された技法のための動作を行うように構成された様々な構成要素（例えば、ミーンズプラスファンクション構成要素に対応する）を含み得る通信デバイス１４００を例示する。通信デバイス１４００は、トランシーバ１４０８に結合された処理システム１４０２を含む。トランシーバ１４０８は、本明細書で説明された様々な信号のような、通信デバイス１４００のための信号を、アンテナ１４１０を介して送信および受信するように構成される。処理システム１４０２は、通信デバイス１４００によって受信されるおよび／または送信されることになる信号を処理することを含む、通信デバイス１４００のための処理機能を行うように構成され得る。
【００９３】
[0103]  処理システム１４０２は、バス１４０６を介してコンピュータ可読媒体／メモリ１４１２に結合されたプロセッサ１４０４を含む。ある特定の態様において、コンピュータ可読媒体／メモリ１４１２は、プロセッサ１４０４によって実行されると、プロセッサ１４０４に、図９に例示された動作、またはｍｍＷシステムにおける協調送信のための本明細書で論じられた様々な技法を行うための他の動作を行わせる命令（例えば、コンピュータ実行可能コード）を記憶するように構成される。ある特定の態様では、コンピュータ可読媒体／メモリ１４１２が、送信のための選択されたビームのインジケーションを受信するためのコード１４１４と、コフェーズ因子を決定するためのコード１４１６と、協調ビームフォーミングされた送信を送るためのコード１４１８とを記憶する。ある特定の態様において、プロセッサ１４０４は、コンピュータ可読媒体／メモリ１４１２に記憶されたコードを実施するように構成された回路を有する。プロセッサ１４０４は、各ＢＳによる送信のための選択されたビームを示すための回路１４２０と、コフェーズ因子を決定するための回路１４２２と、協調ビームフォーミングされた送信を受信するための回路１４２４とを含む。
【００９４】
[0104]  本明細書で開示された方法は、本明細書で説明された方法を達成するための１つまたは複数のステップまたはアクションを備える。方法のステップおよび／またはアクションは、特許請求の範囲から逸脱することなく互いに置き換えられ得る。換言すれば、ステップまたはアクションの特定の順序が明記されない限り、特定のステップおよび／またはアクションの順序および／または使用は、特許請求の範囲から逸脱することなく修正され得る。
【００９５】
[0105]  本明細書で使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに複数の同じ要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序）をカバーするように意図される。
【００９６】
[0106]  本明細書で使用される場合、「決定すること」という用語は、幅広いアクションを包含する。例えば、「決定すること」は、計算すること（calculating）、コンピューティングすること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、および同様のことを含み得る。また、「決定すること」は、解決すること、選択すること、選ぶこと、確立すること、および同様のことを含み得る。
【００９７】
[0107]  先の説明は、いかなる当業者であっても、本明細書で説明された様々な態様を実現することを可能にするために提供された。これらの態様への様々な修正は、当業者には容易に明らかとなり、本明細書で定義された一般原理は、他の態様に適用され得る。従って、特許請求の範囲は、本明細書で示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。別段に明記されていない限り、「いくつかの（some）」という用語は、１つまたは複数を指す。当業者に知られているか、または後に知られることとなる、本開示全体を通して説明された様々な態様の要素に対する全ての構造的および機能的な均等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。いずれの請求項の要素も、その要素が「〜のための手段（means for）」という表現を使用して明確に記載されていない限り、または、方法の請求項のケースにおいて、その要素が「〜のためのステップ（step for）」という表現を使用して記載されていない限り、米国特許法第１１２条（ｆ）の規定のもとで解釈されるべきでない。
【００９８】
[0108]  上記で説明された方法の様々な動作は、対応する機能を行うことが可能な任意の好適な手段によって行われ得る。手段は、それに限定されるものでないが、回路、特定用途向け集積回路（ＡＳＩＣ）、またはプロセッサを含む、様々なハードウェアおよび／またはソフトウェアの（１つまたは複数の）構成要素および／または（１つまたは複数の）モジュールを含み得る。一般に、図中に例示された動作がある場合、これらの動作は、同様の番号付けを有する、対応する対をなすミーンズプラスファンクションの構成要素を有し得る。
【００９９】
[0109]  本開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタロジック、ディスクリートハードウェア構成要素、あるいは本明細書で説明された機能を行うように設計されたこれらの任意の組合せを用いて実施または行われ得る。汎用プロセッサは、マイクロプロセッサであり得るが、代替として、このプロセッサは、任意の市販のプロセッサ、コントローラ、マイクロコントローラまたはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成として実施され得る。
【０１００】
[0110]  ハードウェアで実施される場合、例となるハードウェア構成は、ワイヤレスノードにおける処理システムを備え得る。処理システムは、バスアーキテクチャを用いて実施され得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、バスを介してネットワークアダプタを処理システムに接続するために使用され得る。ネットワークアダプタは、ＰＨＹレイヤの信号処理機能を実施するために使用され得る。ユーザ端末１２０（図１を参照）のケースでは、ユーザインターフェース（例えば、キーパッド、ディスプレイ、マウス、ジョイスティックなど）がまた、バスに接続され得る。バスはまた、タイミングソース、周辺機器、電圧レギュレータ、電力管理回路、および同様のもののような様々な他の回路をリンクし得、これらは、当該技術分野において周知であり、従って、これ以上は説明されない。プロセッサは、１つまたは複数の汎用および／または専用プロセッサを用いて実施され得る。例は、マイクロプロセッサ、マイクロコントローラ、ＤＳＰプロセッサ、およびソフトウェアを実行し得るその他の回路を含む。当業者であれば、特定のアプリケーションおよびシステム全体に課せられる全体的な設計制約に依存して、処理システムに関して説明された機能を実施するのに最良の方法を認識するであろう。
【０１０１】
[0111]  ソフトウェアで実施される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。コンピュータ可読媒体は、１つの場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体は、プロセッサと一体化され得る。例として、機械可読媒体は、伝送路（transmission line）、データによって変調された搬送波、および／またはワイヤレスノードとは別個の命令が記憶されたコンピュータ可読記憶媒体を含み得、これら全ては、バスインターフェースを通じてプロセッサによってアクセスされ得る。代替または追加として、機械可読媒体、またはその任意の部分は、キャッシュおよび／または汎用レジスタファイルでのケースでそうであり得るように、プロセッサに一体化され得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、またはその他任意の好適な記憶媒体、あるいはこれらの任意の組合せを含み得る。機械可読媒体は、コンピュータプログラム製品において具現化され得る。
【０１０２】
[0112]  ソフトウェアモジュールは、単一の命令、または多くの命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサのような装置によって実行されると、処理システムに様々な機能を行わせる命令を含む。ソフトウェアモジュールは、送信モジュールと受信モジュールとを含み得る。各ソフトウェアモジュールは、単一の記憶デバイス内に存在し得るか、または複数の記憶デバイスにわたって分散され得る。例として、ソフトウェアモジュールは、トリガリングイベントが発生したときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実施されることが理解されよう。
【０１０３】
[0113]  また、任意の接続が、厳密にはコンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。従って、いくつかの態様では、コンピュータ可読媒体が、非一時的なコンピュータ可読媒体（例えば、有形媒体）を備え得る。加えて、他の態様では、コンピュータ可読媒体が、一時的なコンピュータ可読媒体（例えば、信号）を備え得る。上記の組合せもまた、コンピュータ可読媒体の範囲内に含まれるべきである。
【０１０４】
[0114]  従って、ある特定の態様は、本明細書で提示された動作を行うためのコンピュータプログラム製品を備え得る。例えば、このようなコンピュータプログラム製品は、その上に命令が記憶された（および／または符号化された）コンピュータ可読媒体を備え得、命令は、本明細書で説明された動作を行うために１つまたは複数のプロセッサによって実行可能である。
【０１０５】
[0115]  さらに、本明細書で説明された方法および技法を行うためのモジュールおよび／または他の好適な手段は、適宜、ユーザ端末および／または基地局によって、ダウンロードおよび／または別の方法で取得され得ることを理解されたい。例えば、このようなデバイスは、本明細書で説明された方法を行うための手段の転送を容易にするためにサーバに結合され得る。代替として、本明細書で説明された様々な方法は、ユーザ端末および／または基地局が、デバイスに記憶手段を結合または提供する際に、様々な方法を取得し得るように、記憶手段（例えば、ＲＡＭ、ＲＯＭ、コンパクトディスク（ＣＤ）またはフロッピーディスクなどの物理記憶媒体のような）を介して提供され得る。さらに、本明細書で説明された方法および技法をデバイスに提供するためのその他任意の好適な技法が利用され得る。
【０１０６】
[0116]  特許請求の範囲は、上記に例示された厳密な構成および構成要素に限定されないことを理解されたい。様々な修正、変更、および変形が、特許請求の範囲から逸脱することなく、上記で説明された方法および装置の配置、動作および詳細において行われ得る。
【図１】
2021513787.tif 000007
【図２】
2021513787.tif 000008
【図３】
2021513787.tif 000009
【図４】
2021513787.tif 000010
【図５】
2021513787.tif 000011
【図６】
2021513787.tif 000012
【図７】
2021513787.tif 000013
【図８】
2021513787.tif 000014
【図９】
2021513787.tif 000015
【図１０】
2021513787.tif 000016
【図１１】
2021513787.tif 000017
【図１２】
2021513787.tif 000018
【図１３】
2021513787.tif 000019
【図１４】
2021513787.tif 000020
【国際調査報告】
2021513787.tif 000021
2021513787.tif 000022
2021513787.tif 000023